【事件の表示】
　特願２００３−２８４８９６「画像データ表示装置及びその制御方法」拒絶査定不服審判事件〔平成１７年　３月　３日出願公開、特開２００５−　５６０５７〕について、次のとおり審決する。
【結　論】
　本件審判の請求は、成り立たない。
【理　由】
１．手続の経緯
　本願は、平成１５年８月１日の出願であって、平成１９年１０月２９日付けの拒絶の理由の通知に対して、平成２０年１月１１日付けで意見書が提出されるとともに、同日付けで手続補正がなされたが、同年２月２１日付けで拒絶をすべき旨の査定がされ、これに対し同年４月１５日に拒絶査定不服審判の請求がなされ、同年５月９日付けで手続補正がなされたものである。
　
２．平成２０年５月９日付けの手続補正についての却下の決定
［結論］
　平成２０年５月９日付けの手続補正を却下する。
［理由］
（１）本件補正
　平成２０年５月９日付けの手続補正（以下「本件補正」という。）は、平成２０年１月１１日付けの手続補正書の特許請求の範囲の請求項（以下「補正前の請求項」という。）１〜８を、平成２０年５月９日付けの手続補正書の特許請求の範囲の請求項（以下「補正後の請求項」という。）１〜５に補正したものである。補正後の請求項１は、以下のとおりである。
　
「【請求項１】
　表示部と、表示部の表示画面の表示を見開き表示モードと拡大表示モードとに切替える表示画面制御部とを設け、前記表示部は、表示用画像データを埋め込む画像枠と、前記の画像枠に埋め込まれた表示用画像データに対応するページデータを埋め込むページ枠とを持つ表示画面を備え、
　前記表示画面制御部は、見開き表示モードによる表示の時は表示画面内の右側部分に配する画像枠および左側部分に配する画像枠にそれぞれ１個の表示用画像データを埋め込み、拡大表示モードによる表示の時は前記のいずれか一方の画像枠に埋め込まれた前記表示用画像データに対応する前記ページデータを前記ページ枠に埋め込み、前記表示用画像データの一部を所定の倍率により拡大して表示する画像データ表示装置において、
　更に、前記表示画面制御部は、
　前記の見開き表示モードによる表示画像より拡大表示モードによる所定の倍率の拡大画像に切り替える際に、あらかじめ定める複数種の中間倍率による表示画像を生成し、前記の中間倍率による表示画像を段階的に表示した後に所定の倍率による拡大表示画像を表示し、
　前記の拡大表示モードによる表示画面は、その表示する拡大表示画像をあらかじめ定める順番に従って入れ替え、
　前記の見開き表示モードから拡大表示モードに切り替えた拡大表示画像を表示する際に、当初の見開き表示モードによる表示画像に対応するページデータを埋め込んだページ枠を併置して表示する、
　ことを特徴とする画像データ表示装置。」
　
　本件補正による請求項１は、補正前の請求項に記載した発明を特定するために必要な事項である「表示画面制御部」について「更に、前記表示画面制御部は、前記の見開き表示モードによる表示画像より拡大表示モードによる所定の倍率の拡大画像に切り替える際に、あらかじめ定める複数種の中間倍率による表示画像を生成し、前記の中間倍率による表示画像を段階的に表示した後に所定の倍率による拡大表示画像を表示し、前記の拡大表示モードによる表示画面は、その表示する拡大表示画像をあらかじめ定める順番に従って入れ替え、前記の見開き表示モードから拡大表示モードに切り替えた拡大表示画像を表示する際に、当初の見開き表示モードによる表示画像に対応するページデータを埋め込んだページ枠を併置して表示する」との限定を付加する補正をしたものであり、本件補正は、特許法第１７条の２第４項第２号の特許請求の範囲の減縮を目的とするものに該当する。
　そこで、本件補正後の請求項１に記載された発明（以下「本願補正発明」という。）が特許出願の際独立して特許を受けることができるものであるか（特許法第１７条の２第５項において準用する同法第１２６条第５項の規定に適合するか）について以下に検討する。
　
（２）引用例の記載
　原査定の拒絶の理由に引用された「特開平９−２６７６９号公報（平成９年１月２８日発行。以下「引用例」という。）」には、図面とともに次の事項が記載されている。なお、引用例に丸囲み数字として記載されている文字については、〔　〕付きの文字に置き換えて表記した。
　
Ａ．「【０００９】
【課題を解決するための手段】本発明は、第一の表示部と第二の表示部を備えた画像表示装置で、二つの表示部を結合部で開閉自在にし、見開き表示の本に近い形態とした。それぞれの表示部の表示面にＬＣＤを設けて、第一の表示部の表示面と第二の表示部の表示面を結合部に密接させて配置し、二つのＬＣＤ画面を一つの画面とみなして使用したり、それぞれの画面を独立した一つの画面として使用することもできる。
【００１０】また、本と同様に二つの表示部を結合部で二つ折りにして持ち運ぶことができ、電源や電子回路をＬＣＤの背面に配置して表示装置本体に全ての機能をもたせ、さらに、装置本体を小型軽量化するため本体内部の部品配置を、重量分布均一や人が携帯可能な重さを考慮した寸法にする。
【００１１】
【作用】本発明の表示装置によれば、広い表示面のＬＣＤを二枚備えていることより、表示範囲やＬＣＤの解像度を補うことが可能となる。
【００１２】また、ＬＣＤ二画面を独立した二つの画面としてや、一つのつながった一画面として使用することよにり、文庫本や新書本等の小さい本だけでなく新聞などのＡ２サイズの紙面情報も表示することが可能となる。
【００１３】さらに、本の形態と同様に表示面を見開き表示にし、携帯時に二つ折、使用時に本のように開いて使用するので持ち運びに非常に適している。」（第３頁第３欄３６行目〜同頁第４欄１６行目）
　
Ｂ．「【００６３】（画面表示制御）記録媒体にＡ４判４００ｄｐｉ縦長のデータフォーマットに、Ａ４判１ページ、Ａ５判２ページ、Ａ６判４ページ分の画像を電子化し、この全体または一部を２つのＬＣＤに表示する場合の画面制御を図９を参照しながら次項（１）〜（３）に示す。
【００６４】画面制御の基本は、以下のものである。
(a) 画像（Ａ４判４００ｄｐｉ縦長のデータフォーマット）：
〔１〕Ａ４判１ページ表示，
〔２〕Ａ５判２ページ表示，
〔３〕Ａ６判４ページ表示．
【００６５】(b) 表示画面選択：
〔１〕２つのＬＣＤで１ページ表示，
〔２〕２つのＬＣＤで２ページつづき表示，
〔３〕２つのＬＣＤで独立表示．
【００６６】(c) 表示方向選択（方向：上下左右）：
〔１〕２つのＬＣＤで独立，
〔２〕２つのＬＣＤで連動．
【００６７】（１）Ａ４判１ページ
記録媒体にＡ４判４００ｄｐｉ縦長のデータフォーマットに、Ａ４判１ページ分のデータを縦向きの画像で電子化した場合につき、以下に画面制御を示す。記録媒体よりメモリ（ＤＲＡＭ）に転送したデータ（全てまたは一部）を２つのＬＣＤに表示する方法としては以下のものがある。（図１０参照）
〔１〕２つのＬＣＤを１つの画面として表示する。表示方向は、表示装置に対して、上向き、下向き、右向き、左向きがある。
〔２〕左右どちらかの１つのＬＣＤを１つの画面として表示する。表示方向は、表示装置に対して、上向き、下向き、右向き、左向きがある。
【００６８】（２）Ａ５判２ページ。
記録媒体にＡ４判４００ｄｐｉ縦長のデータフォーマットに、Ａ５判２ページ分のデータを横向きに並べた画像で電子化した場合につき、以下に画面制御を示す。記録媒体よりメモリ（ＤＲＡＭ）に転送したデータ（全てまたは一部）を２つのＬＣＤに表示する方法としては以下のものがある。
【００６９】〔１〕２枚のＬＣＤを１つの画面として、Ａ５判の画面の左右どちらか１枚を選択して表示する。表示方向は、表示装置に対して、上向き、下向き、右向き、左向きがある。（図１１〜１２参照）
【００７０】〔２〕左右のＬＣＤにＡ５判の画面１枚ずつ、表示する。Ａ５判２ページが横向きに並べて電子化されたとき、右側のＡ５判画面を右のＬＣＤに、左側のＡ５判画面を左のＬＣＤに表示する。表示方向は、各ＬＣＤの画像が独立して、表示装置に対して、上向き、下向き、右向き、左向きがある。（図１３〜１４参照）
【００７１】〔３〕左右のＬＣＤにＡ５判の画面１枚ずつ、表示する。Ａ５判２ページが横向きに並べて電子化されたとき、右側のＡ５判画面を左のＬＣＤに、左側のＡ５判画面を右のＬＣＤに表示する。表示方向は、各ＬＣＤの画像が独立して、表示装置に対して、上向き、下向き、右向き、左向きがある。（図１３〜１４参照）
【００７２】（３）Ａ６判４ページ
記録媒体にＡ４判４００ｄｐｉ縦長のデータフォーマットに、Ａ６判４ページ分のデータを縦向きに縦横２×２に並べ、画像で電子化した場合につき、以下に画面制御を示す。記録媒体よりメモリ（ＤＲＡＭ）に転送したしたデータ（全てまたは一部）を２枚のＬＣＤに表示する方法としては以下のものがある。
【００７３】〔１〕２枚のＬＣＤを１つの画面として、Ａ６判の４画面のどれか１枚を選択して表示する。表示方向は、表示装置に対して、上向き、下向き、右向き、左向きがある。（図１５参照）
【００７４】〔２〕左右のＬＣＤにＡ６判の画面２枚、表示する。Ａ６判４ページ分のデータを縦向きに縦横２×２に並べて電子化されたとき、上側または下側に横に並んだＡ６判の２画面を選択し、その右側の画面を右のＬＣＤに、左側のＡ５判画面を左のＬＣＤに表示する。表示方向は、各ＬＣＤの画像が独立して、表示装置に対して、上向き、下向き、右向き、左向きがある。（図１６参照）
【００７５】〔３〕左右のＬＣＤにＡ６判の画面２枚、表示する。Ａ６判４ページ分のデータを縦向きに縦横２×２に並べて電子化されたとき、Ａ６判の２画面を、左右のＬＣＤに任意に選択し、表示する。表示方向は、各ＬＣＤの画像が独立して、表示装置に対して、上向き、下向き、右向き、左向きがある。（図１６参照）」（第７頁第１２欄４５行目〜第８頁第１４欄２９行目）
　
Ｃ．「【００７７】（拡大、縮小）以下拡大機能を図１９を参照参照しながら下記（１）〜（５）に示す。縦、横どちらの表示に対しても拡大機能は同様に働く。
【００７８】（１）１ページ表示：ＬＣＤ２つを１画面として１ページだけを表示する場合は、その表示画面全体を拡大、縮小する。拡大により表示不可能になった部分は画面移動により（拡大した状態で）表示させることが出来る。
【００７９】（２）続き２ページを１つの画像とみなす：ＬＣＤ２つであるページと続きページの２ページ表示を行っている場合は、最初のページのある場所を拡大、縮小すると２ページの表示データを１つとみなして両ページを同時に拡大する。例えば右ページを拡大した場合の左ページ（これも拡大される）等、拡大により表示不可能になった部分は画面移動により（拡大した状態で）表示させることが出来る。
【００８０】（３）２ページ独立：２ページ表示をしている場合に、片側のＬＣＤに表示されているページのみを拡大し、もう片方のＬＣＤに表示されているページはそのままの表示状態で表示を行う。どちらの画面だけを拡大させるかは選択できる。拡大した方のＬＣＤ画面の、拡大により表示不可能になった部分は画面移動により（拡大した状態で）表示させることが出来る。
【００８１】（４）２つのＬＣＤを１つに考え、ページは独立：２ページ表示をしている場合に片側のＬＣＤに表示されているページのみをもう片方のＬＣＤも用いた２ＬＣＤで１画面として拡大表示する。片方のＬＣＤに表示されているページは消える。どちらの画面だけを拡大させるかは選択できる。拡大した方のＬＣＤ画面の、拡大により表示不可能になった部分は画面移動により（拡大した状態で）表示させることが出来る。
【００８２】（５）片側に全体、片側に拡大：ＬＣＤ２画面で２ページを表示しているとき、１方のＬＣＤ（例えば右）を拡大させると、もう片方（左）には、それまで表示していた画面は消して、右のＬＣＤの拡大する前の表示を行う。または１ページ全体を表示する。）また拡大した部分の中心（または他の規定した点）をここに表示することで、どこを拡大したか判別できるようにする。またＬＣＤ２つで１画面として１ページを表示しているときこの機能を用いることも可能で、このときはこれまでのＬＣＤ２つで１画面の状態より、上記のような２画面の状態になる。（図２０〜２１参照）
【００８３】（拡大の基準点）拡大の基準点の設定について図２２を用いて以下に説明する。ＬＣＤ５４−１、ＬＣＤ５４−２を拡大するのにそれぞれの画面に基準点を９か所設ける。その基準点を中心に拡大、縮小を行う。９か所を設定することにより表示画面の全体を拡大することが可能となる。基準点の選択として、ＬＣＤ５４−１、ＬＣＤ５４−２のどちらかの画面を選択して、それぞれの画面に設けられた基準点の１〜９の場所をスクロールで選択して設定する。また、ＬＣＤ二画面で一画面表示を行っているときは、全体画面をとおして１〜１８までの基準点を選択するか、両画面表示を行っているときには、基準点を二画面全体で９か所設けるように設定する。ＬＣＤ二画面のうち一画面を拡大表示専用として、もう片方の画面を拡大前のデータ表示用として使用する場合は、拡大前の表示画面に基準点を９か所設ける。
【００８４】また他の実施例としては、画面を指、ペン等で触るとその位置を検出する透明膜（画面の両端から触った点までの電気抵抗を測定し、その比率から位置を検出するものが既にある）で位置を検出し、その点を中心にして拡大する。（図２２参照）」（第８頁第１４欄３０行目〜第９頁第１５欄４２行目）
　
　以上の記載によれば、引用例には、次の発明（以下「引用発明」という。）が記載されている。
　
「第一の表示部と第二の表示部を備え、二つの表示部を結合部で開閉自在にし、見開き表示の本に近い形態であり、
　それぞれの表示部の表示面にＬＣＤを設けて、第一の表示部の表示面と第二の表示部の表示面を結合部に密接させて配置し、二つのＬＣＤ画面を一つの画面とみなして使用したり、それぞれの画面を独立した一つの画面として使用することもでき、
　記録媒体にＡ４判４００ｄｐｉ縦長のデータフォーマットに、Ａ４判１ページ、Ａ５判２ページ、Ａ６判４ページ分の画像を電子化し、この全体または一部を２つのＬＣＤに表示する場合のＡ５判２ページの画面制御は、左右のＬＣＤにＡ５判の画面１枚ずつ、表示し、Ａ５判２ページが横向きに並べて電子化されたとき、右側のＡ５判画面を右のＬＣＤに、左側のＡ５判画面を左のＬＣＤに表示し、
　表示方向は、各ＬＣＤの画像が独立して、表示装置に対して、上向き、下向き、右向き、左向きがあり、
　縦、横どちらの表示に対しても拡大機能は同様に働くもので、
　２つのＬＣＤを１つに考え、ページは独立、２ページ表示をしている場合に片側のＬＣＤに表示されているページのみをもう片方のＬＣＤも用いた２ＬＣＤで１画面として拡大表示し、片方のＬＣＤに表示されているページは消え、
　どちらの画面だけを拡大させるかは選択できるもので、拡大した方のＬＣＤ画面の、拡大により表示不可能になった部分は画面移動により（拡大した状態で）表示させることが出来る画像表示装置。」
　
（３）対比
　本願補正発明と引用発明を対比する。
　
　引用発明の「第一の表示部」と「第二の表示部」は、本願補正発明の「表示部」に相当する。
　引用発明は、それぞれの表示部の表示面にＬＣＤを設けて、二つのＬＣＤ画面を一つの画面とみなして使用したり、それぞれの画面を独立した一つの画面として使用するものであるので、引用発明の「ＬＣＤ画面」は本願補正発明の「表示画面」に相当する。
　引用発明は、縦、横どちらの表示に対しても拡大機能は同様に働き、２つのＬＣＤを１つに考え、ページは独立で、２ページ表示をしている場合に片側のＬＣＤに表示されているページのみをもう片方のＬＣＤも用いた２ＬＣＤで１画面として拡大表示し、片方のＬＣＤに表示されているページは消え、どちらの画面だけを拡大させるかは選択できるもので、拡大した方のＬＣＤ画面の、拡大により表示不可能になった部分は画面移動により（拡大した状態で）表示させることが出来る機能を有しているので、引用発明は、本願補正発明における「見開き表示モードと拡大表示モードとに切替える」ことに相当する機能を有しているといえる。また、引用発明は、当該切替えのための制御部を有することは明らかであるので、引用発明と本願補正発明は、「表示部の表示画面の表示を見開き表示モードと拡大表示モードとに切替える表示画面制御部」を有する点で一致する。
　引用発明は、Ａ４判４００ｄｐｉ縦長のデータフォーマットに、Ａ４判１ページ、Ａ５判２ページ、Ａ６判４ページ分の画像を電子化し、この全体または一部を２つのＬＣＤに表示しているので、引用発明の「Ａ４判４００ｄｐｉ縦長のデータフォーマットに、Ａ４判１ページ、Ａ５判２ページ、Ａ６判４ページ分の画像を電子化」したものは、本願補正発明の「表示用画像データ」に相当する。
　引用発明は、左右のＬＣＤにＡ５判の画面を１枚ずつ表示しており、本願補正発明の「表示用画像データを埋め込み」との内容は表示画面に表示用画像データを表示することと同意であるので、引用発明と本願補正発明は、共に「見開き表示モードによる表示の時は表示画面内の右側部分および左側部分にそれぞれ１個の表示用画像データを埋め込み」に相当する構成を有しているといえる。
　引用発明は、縦、横どちらの表示に対しても拡大機能は同様に働くものであるので、引用発明も、本願補正発明における「表示用画像データの一部を所定の倍率により拡大して表示する」機能を有することは明らかである。
　引用発明の「２つのＬＣＤを１つに考え、ページは独立、２ページ表示をしている場合に片側のＬＣＤに表示されているページのみをもう片方のＬＣＤも用いた２ＬＣＤで１画面として拡大表示し、片方のＬＣＤに表示されているページは消え」る機能は、本願補正発明の「見開き表示モードによる表示画像より拡大表示モードによる所定の倍率の拡大画像に切り替え」る機能と共通している。
　引用発明の「画像表示装置」と本願補正発明の「画像データ表示装置」は、画像を表示するための装置という点で一致する。
　
　すると、本願補正発明と引用発明とは、次の点で一致する。
　
一致点
「表示部と、表示部の表示画面の表示を見開き表示モードと拡大表示モードとに切替える表示画面制御部とを設け、
　前記表示部は、表示画面を備え、
　前記表示画面制御部は、見開き表示モードによる表示の時は表示画面内の右側部分および左側部分にそれぞれ１個の表示用画像データを埋め込み、拡大表示モードによる表示の時は前記表示用画像データの一部を所定の倍率により拡大して表示する画像データ表示装置において、
　更に、前記表示画面制御部は、
　前記の見開き表示モードによる表示画像より拡大表示モードによる所定の倍率の拡大画像に切り替える、
　ことを特徴とする画像データ表示装置。」
　
　一方、両者は次の点で相違する。
　
相違点１
　本願補正発明は、表示画面が、表示用画像データを埋め込む画像枠を持ち、見開き表示モードによる表示の時は表示画面内の右側部分に配する画像枠および左側部分に配する画像枠にそれぞれ１個の表示用画像データを埋め込むものであるのに対し、引用発明では、表示画面内の右側部分および左側部分にそれぞれ１個の表示用画像データを埋め込んでいるが、表示用画像データを埋め込む画像枠に表示用画像データを埋め込むことの特定がなされていない点。
　
相違点２
　本願補正発明は、表示画面が、表示用画像データに対応するページデータを埋め込むページ枠を持ち、拡大表示モードによる表示の時はのいずれか一方の画像枠に埋め込まれた表示用画像データに対応するページデータをページ枠に埋め込むものであり、また、見開き表示モードから拡大表示モードに切り替えた拡大表示画像を表示する際に、当初の見開き表示モードによる表示画像に対応するページデータを埋め込んだページ枠を併置して表示するのに対して、引用発明では、ページデータをページ枠に埋め込むことについての特定がなされていない点。
　
相違点３
　本願補正発明は、拡大表示モードによる表示画面は、その表示する拡大表示画像をあらかじめ定める順番に従って入れ替え表示するのに対して、引用発明では表示する拡大表示画像をあらかじめ定める順番に従って入れ替え表示する機能を有していない点。
　
相違点４
　本願補正発明は、見開き表示モードによる表示画像より拡大表示モードによる所定の倍率の拡大画像に切り替える際に、あらかじめ定める複数種の中間倍率による表示画像を生成し、中間倍率による表示画像を段階的に表示した後に所定の倍率による拡大表示画像を表示するのに対して、引用発明は、見開き表示モードによる表示画像より拡大表示モードによる所定の倍率の拡大画像に切り替えるものではあるが、あらかじめ定める複数種の中間倍率による表示画像を生成し、中間倍率による表示画像を段階的に表示した後に所定の倍率による拡大表示画像を表示する機能を有していない点。
　
（４）当審の判断
　上記相違点について検討する。
　
（相違点１についての検討）
　画像表示装置において、表示画面が表示用画像データを埋め込む画像枠を持つことは周知の技術である（特開平８−２４９３４４号公報（以下、周知例１という。）の【０００９】、及び、【図１】の１０２，１０２ａの記載、特開２００１−２６５４８１号公報（以下、周知例２という。）の【０１１０】、及び、【図２６】の記載を参照。）。したがって、上記の周知の技術を適用し、引用発明の表示画面であるＬＣＤ画面に画像枠を持たせ、表示用画像データを埋め込むようにして本願補正発明のように構成することは、当業者であれば容易に成し得ることである。
　
（相違点２についての検討）
　画像表示装置において、表示画面が、表示用画像データに対応するページデータを埋め込むページ枠を持つことは周知の技術である（周知例１の【０００９】、及び、【図１】の１０２ｃの記載を参照。）。また、拡大表示モードに切り替えた拡大表示画像を表示する際に、当初の表示画像に対応するページデータを埋め込んだページ枠を併置して表示することも周知の技術である（周知例２の【図４４】及び【図５４】におけるページを示すタグの記載を参照。）。したがって、上記の周知の技術を適用し、引用発明においてページデータをページ枠に埋め込むようにして、通常の表示モードである見開き表示モードから拡大表示モードに切り替えた拡大表示画像を表示する際に見開き表示モードによる表示画像に対応するページデータを埋め込んだページ枠を併置して表示するようにして本願補正発明のように構成することは、当業者であれば容易に成し得ることである。
　
（相違点３についての検討）
　画像表示装置において、拡大表示モードによる表示画面について、その表示する拡大表示画像をあらかじめ定める順番に従って入れ替え表示することは周知の技術である（周知例２の【０１４６】−【０１４９】、及び、【図４４】、【図４５】の記載、特開２００２−２７９３９８号公報（以下、周知例３という。）の【００１１】の記載を参照。）。したがって、上記の周知の技術を適用し、引用発明において拡大表示モードによる表示画面を、その表示する拡大表示画像をあらかじめ定める順番に従って入れ替え表示するようにして、本願補正発明のように構成することは、当業者であれば容易に成し得ることである。
　
（相違点４についての検討）
　画面表示において、拡大表示モードによる所定の倍率の拡大画像に切り替える際に、あらかじめ定める複数種の中間倍率による表示画像を生成し、中間倍率による表示画像を段階的に表示した後に所定の倍率による拡大表示画像を表示することは周知の技術である（特開２０００−１１２４５８号公報の【０００５】−【００２０】の記載を参照。）。
　そして、引用発明に中間倍率による表示画像を段階的に表示した後に所定の倍率による拡大表示画像を表示する機能を設けることにより、新たな格別な効果が生じるものとも認められないので、引用発明に当該周知の技術を適用することに格別の困難性は認められない。したがって、上記の周知の技術を適用し、引用発明に中間倍率による表示画像を段階的に表示した後に所定の倍率による拡大表示画像を表示する機能を適用して本願補正発明のように構成することは、当業者であれば容易に成し得ることである。
　
　また、本願補正発明の構成によって生じる効果も、引用発明及び周知技術から当業者が予測できるものである。
　
　したがって、本願補正発明は、引用発明及び周知技術に基づいて、当業者が容易に発明をすることができたものであるから、特許法第２９条第２項の規定により特許出願の際独立して特許を受けることができないものである。
　
（５）むすび
　以上のとおり，本件補正は，平成１８年法律第５５号改正附則第３条第１項によりなお従前の例によるとされる同法による改正前の特許法第１７条の２第５項において準用する同法第１２６条第５項の規定に違反するので，同法第１５９条第１項において読み替えて準用する同法第５３条第１項の規定により却下すべきものである。
　
３．本願発明について
　平成２０年５月９日付けの手続補正は上記のとおり却下されたので、本願の請求項１に係る発明（以下「本願発明」という。）は、平成２０年１月１１日付けの手続補正書の特許請求の範囲の請求項１に記載された事項により特定される、以下のとおりのものである。
　
「【請求項１】
　表示部と、表示部の表示画面の表示を見開き表示モードと拡大表示モードとに切替える表示画面制御部とを設けた画像データ表示装置において、
　前記表示部は、
　表示用画像データを埋め込む画像枠と、前記の画像枠に埋め込まれた表示用画像データに対応するページデータを埋め込むページ枠とを持つ表示画面を備え、
　前記表示画面制御部は、
　見開き表示モードによる表示の時は表示画面内の右側部分に配する画像枠および左側部分に配する画像枠にそれぞれ１個の表示用画像データを埋め込み、
　拡大表示モードによる表示の時は前記のいずれか一方の画像枠に埋め込まれた前記表示用画像データに対応する前記ページデータを前記ページ枠に埋め込み、
　前記表示用画像データの一部を所定の倍率により拡大して表示する、
　ことを特徴とする画像データ表示装置。」
　
（１）引用例
　原査定の拒絶の理由に引用された引用例及びその記載事項は、前記２．（２）に記載したとおりである。
　
（２）当審の判断
　本願発明は、前記２．で検討した本願補正発明から、「表示画面制御部」の限定事項である「更に、前記表示画面制御部は、前記の見開き表示モードによる表示画像より拡大表示モードによる所定の倍率の拡大画像に切り替える際に、あらかじめ定める複数種の中間倍率による表示画像を生成し、前記の中間倍率による表示画像を段階的に表示した後に所定の倍率による拡大表示画像を表示し、前記の拡大表示モードによる表示画面は、その表示する拡大表示画像をあらかじめ定める順番に従って入れ替え、前記の見開き表示モードから拡大表示モードに切り替えた拡大表示画像を表示する際に、当初の見開き表示モードによる表示画像に対応するページデータを埋め込んだページ枠を併置して表示する」との構成を省いたものである。　
　そうすると、本願発明の構成要件をすべて含み、さらに他の構成要件を付加したものに相当する本願補正発明が、前記２．（４）に記載したとおり、引用発明及び周知技術に基づいて、当業者が容易に発明をすることができたものであるから、本願発明も同様の理由により、引用発明及び周知技術に基づいて、当業者が容易に発明をすることができたものである。
　
（３）むすび
　以上のとおり、本願発明は、引用発明及び周知技術に基づいて、当業者が容易に発明をすることができたものであるから、特許法第２９条第２項の規定により特許を受けることができない。
　よって、結論のとおり審決する。